【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合わせに応じて入賞が発生可能なスロットマシンにおいて、
入賞について発生を許容するか否かを決定する事前決定手段と、
前記複数の可変表示部の各々に対応して設けられ、前記可変表示部の変動表示を停止させる停止操作を行なうための停止操作手段と、
前記停止操作手段の停止操作を検出する停止操作検出手段と、
前記複数の可変表示部の全てで変動表示を開始させた後、前記停止操作手段の停止操作が検出されたときに、前記可変表示部に配列された識別情報を単位コマとする所定の最大滑りコマ数の範囲内で停止操作に対応する前記可変表示部の変動表示を停止させることにより、当該可変表示部の表示結果を導出させる制御を行なう導出制御手段とを含み、
前記導出制御手段は、
１ゲーム開始後の第一停止操作に対応する第一停止可変表示部の変動表示を停止させたときに、前記事前決定手段が入賞の発生を許容した入賞種別のうち、前記第一停止可変表示部の表示結果と未停止可変表示部の表示結果との組合わせにより発生し得る入賞種別を検索する入賞種別予想手段と、
前記第一停止可変表示部の変動表示を停止させたときに、当該第一停止可変表示部が前記複数の可変表示部のうちのいずれであるかに基づいて、前記第一停止操作に続く第二停止操作に対応して変動表示を停止させる第二停止可変表示部の識別情報の滑りコマ数を特定するための特定テーブルを選択する特定テーブル選択手段と、
前記入賞種別予想手段の検索結果に基づいて、前記特定テーブル選択手段が選択した特定テーブルによって特定された滑りコマ数のデータを補正する滑りコマ数データ補正手段と、
前記第一停止可変表示部の変動表示を停止させた後、前記第二停止操作が検出されたときに、前記滑りコマ数データ補正手段が補正した滑りコマ数のデータに基づいた識別情報が前記第二停止可変表示部の予め設定した基準位置に達した段階で前記第二停止可変表示部の変動表示を停止させる第二停止可変表示部停止制御手段とを含むことを特徴とする、スロットマシン。
【手続補正２】
【補正対象書類名】明細書
【補正対象項目名】０００１
【補正方法】変更
【補正の内容】
【０００１】
本発明は、各々が識別可能な複数種類の識別情報を変動表示可能な可変表示部を複数備え、可変表示部を変動表示した後、可変表示部の変動表示を停止することで表示結果を導出し、複数の可変表示部の表示結果の組合わせに応じて入賞が発生可能なスロットマシンに関する。
【手続補正３】
【補正対象書類名】明細書
【補正対象項目名】０００７
【補正方法】変更
【補正の内容】
【０００７】
本発明は係る実情に鑑み考え出されたものであり、その目的は、可変表示部の変動表示の停止制御に必要なデータ記憶容量を削減可能としつつも、目標の最終表示結果を予想した上でその予想表示結果に近づくように可変表示部の変動表示を停止制御可能なスロットマシンを提供することである。
【手続補正４】
【補正対象書類名】明細書
【補正対象項目名】０００８
【補正方法】変更
【補正の内容】
【０００８】
（１）  本発明は、各々が識別可能な複数種類の識別情報を変動表示可能な可変表示部を複数備え、前記可変表示部を変動表示した後、前記可変表示部の変動表示を停止することで表示結果を導出し、複数の可変表示部の表示結果の組合わせに応じて入賞が発生可能なスロットマシン（スロットマシン１）において、
入賞について発生を許容するか否かを決定する事前決定手段（図６のＳ２）と、
前記複数の可変表示部の各々に対応して設けられ、前記可変表示部の変動表示を停止させる停止操作を行なうための停止操作手段（ストップスイッチ８Ｌ、８Ｃ、８Ｒ）と、
前記停止操作手段の停止操作を検出する停止操作検出手段（図６のＳ６、Ｓ１２、Ｓ１７）と、
前記複数の可変表示部の全てで変動表示を開始させた後、前記停止操作手段の停止操作が検出されたときに、前記可変表示部に配列された識別情報を単位コマとする所定の最大滑りコマ数の範囲内（引き込み可能な最大コマ数（停止操作検出時に基準位置にある図柄を除くと４コマ、基準位置にある図柄を入れて５コマ）、ストップスイッチ８Ｌ、８Ｃ、８Ｒの操作から対応するリール２Ｌ、２Ｃ、２Ｒの回転を停止するまでの最大停止遅延時間（たとえば、１９０ミリ秒））で停止操作に対応する前記可変表示部の変動表示を停止させることにより、当該可変表示部の表示結果を導出させる制御を行なう導出制御手段（メイン制御部４１）とを含み、
前記導出制御手段は、
１ゲーム開始後の第一停止操作に対応する第一停止可変表示部の変動表示を停止させたときに、前記事前決定手段が入賞の発生を許容した入賞種別のうち、前記第一停止可変表示部の表示結果と未停止可変表示部の表示結果との組合わせにより発生し得る入賞種別を検索する入賞種別予想手段（図９のＳ５１〜Ｓ５９）と、
前記第一停止可変表示部の変動表示を停止させたときに、当該第一停止可変表示部が前記複数の可変表示部のうちのいずれであるかに基づいて、前記第一停止操作に続く第二停止操作に対応して変動表示を停止させる第二停止可変表示部の識別情報の滑りコマ数を特定するための特定テーブル（図１８（Ａ−２）（Ｂ−２）、図１９（Ｃ−２）（Ｄ−２））を選択する特定テーブル選択手段（図６のＳ１０、図１０の第二第三停止用滑りコマ数テーブル作成処理）と、
前記入賞種別予想手段の検索結果に基づいて、前記特定テーブル選択手段が選択した特定テーブルによって特定された滑りコマ数のデータを補正する滑りコマ数データ補正手段（図６のＳ１１、図１１の第二第三停止用滑りコマ数テーブル補正処理）と、
前記第一停止可変表示部の変動表示を停止させた後、前記第二停止操作が検出されたときに、前記滑りコマ数データ補正手段が補正した滑りコマ数のデータに基づいた識別情報が前記第二停止可変表示部の予め設定した基準位置に達した段階で前記第二停止可変表示部の変動表示を停止させる第二停止可変表示部停止制御手段（図６のＳ１３、図２３（Ａ））とを含む。
【手続補正５】
【補正対象書類名】明細書
【補正対象項目名】０００９
【補正方法】変更
【補正の内容】
【０００９】
このような構成によれば、第二停止可変表示部用の数多くの滑りコマ数テーブルを予め用意して記憶しておくのではなく、第一停止可変表示部が複数の可変表示部のうちのいずれであるかに基づいてその都度第二停止可変表示部用の滑りコマ数のデータを作成するため、可変表示部の停止制御に必要なデータ記憶容量を削減できる。
【手続補正６】
【補正対象書類名】明細書
【補正対象項目名】００１０
【補正方法】変更
【補正の内容】
【００１０】
また、特定テーブル選択手段が特定した滑りコマ数のデータを直接停止制御に用いるのではなく、入賞種別予想手段の検索結果に基づいて補正された滑りコマ数のデータを用いて第二停止に応じた停止制御を実行するため、可変表示部の変動表示の停止制御に必要なデータ記憶容量を削減可能としつつも、目標の最終表示結果を予想した上でその予想表示結果に近づくように可変表示部の変動表示を停止制御可能となる。
【手続補正７】
【補正対象書類名】明細書
【補正対象項目名】００１１
【補正方法】変更
【補正の内容】
【００１１】
（２）  前記入賞種別予想手段は、
前記第二停止可変表示部の変動表示が停止したと仮定したときに前記第一停止可変表示部の表示結果との関係において発生し得る入賞種別を前記第二停止可変表示部に配列された識別情報毎に検索する検索手段（図９のＳ５９）と、
入賞種別に応じたポイントを前記検索手段により検索された前記第二停止可変表示部の識別情報毎に設定するポイント設定手段（図９のＳ６５、Ｓ６７）とを含み、
前記滑りコマ数データ補正手段は、前記ポイント設定手段が設定したポイントの大きさに基づいて、前記最大滑りコマ数の範囲にある識別情報のうちから前記基準位置に停止させる第二停止可変表示部の識別情報を決定し、当該決定結果に基づいて前記最大滑りコマ数の範囲にある各々の識別情報に対応する滑りコマ数データを補正する（図１１のＳ９４、Ｓ９５）。
【手続補正８】
【補正対象書類名】明細書
【補正対象項目名】００１２
【補正方法】変更
【補正の内容】
【００１２】
このような構成によれば、ポイントの大小に応じて停止を優先すべき識別情報が特定されて滑りコマ数データが補正されるため、特定の入賞種別について、優先して導出させることが可能となる。また、第二停止可変表示部の変動表示が停止したと仮定したときに第一停止可変表示部の表示結果との関係において発生し得る入賞種別が第二停止可変表示部に配列された識別情報毎に検索されるため、表示結果として導出される可能性のある入賞種別を漏れなく特定できる。
【手続補正９】
【補正対象書類名】明細書
【補正対象項目名】００１３
【補正方法】変更
【補正の内容】
【００１３】
（３）  前記ポイント設定手段は、前記第二停止可変表示部に配列された一箇所の識別情報に対して前記検索手段により複数種類の入賞種別が検索されたときには各入賞種別に応じたポイントを加算した値を設定する（図９のＳ６７、図２６（Ａ））。
【手続補正１０】
【補正対象書類名】明細書
【補正対象項目名】００１４
【補正方法】変更
【補正の内容】
【００１４】
このような構成によれば、複数種類の入賞種別による入賞の発生の可能性のある位置に識別情報が優先して停止するため、複数種類の入賞種別のいずれかを表示結果として導出させる機会が優先的に遊技者に与えられるようになり、その結果、遊技の面白味を向上できる。
【手続補正１１】
【補正対象書類名】明細書
【補正対象項目名】００１５
【補正方法】変更
【補正の内容】
【００１５】
（４）  前記入賞種別予想手段は、
前記第二停止可変表示部の変動表示が停止したと仮定したときに前記第一停止可変表示部の表示結果との関係において発生し得る入賞種別を前記第二停止可変表示部に配列された識別情報毎に検索する検索手段（図９のＳ５９）と、
前記検索手段により検索された入賞種別が前記事前決定手段により入賞の発生が許容された入賞種別に対応しない不正入賞であるか否かを判定する不正入賞判定手段（図９のＳ６０）と、
前記不正入賞判定手段によって不正入賞と判定された前記第二停止可変表示部の識別情報に対応して、停止禁止データを設定する停止禁止データ設定手段（図９のＳ６１）とを含み、
前記滑りコマ数データ補正手段は、前記停止禁止データ設定手段が停止禁止データを設定した前記第二停止可変表示部の識別情報が前記基準位置に停止しないように前記特定テーブルの滑りコマ数のデータを補正する（図１１のＳ９４、Ｓ９５、図２１、図２３、図２６、図２７）。
【手続補正１２】
【補正対象書類名】明細書
【補正対象項目名】００１７
【補正方法】変更
【補正の内容】
【００１７】
（５）  前記入賞種別予想手段は、
前記第二停止可変表示部の変動表示が停止したと仮定したときに前記第一停止可変表示部の表示結果との関係において発生し得る入賞種別を前記第二停止可変表示部に配列された識別情報毎に検索する検索手段（図９のＳ５９）と、
入賞種別に応じたポイントを前記検索手段により検索された前記第二停止可変表示部の識別情報毎に設定するポイント設定手段（図９のＳ６５、Ｓ６７）とを含み、
前記ポイント設定手段は、有価価値（メダル、クレジット）を用いることなくゲームを行なうことが可能な再ゲームが付与される再遊技の入賞種別（再遊技１，２）が前記検索手段により検索されたときには、最大ポイントを設定し（図９のＳ６５）、
前記滑りコマ数データ補正手段は、前記最大滑りコマ数の範囲に最大ポイントが設定された識別情報が存在するとき、前記第二停止可変表示部の当該識別情報を前記基準位置に停止させる識別情報とする（図１１のＳ９４）。
【手続補正１３】
【補正対象書類名】明細書
【補正対象項目名】００１９
【補正方法】変更
【補正の内容】
【００１９】
（６）  前記入賞種別予想手段は、
前記第二停止可変表示部の変動表示が停止したと仮定したときに前記第一停止可変表示部の表示結果との関係において発生し得る入賞種別を前記第二停止可変表示部に配列された識別情報毎に検索する検索手段（図９のＳ５９）と、
入賞種別に応じたポイントを前記検索手段により検索された前記第二停止可変表示部の識別情報毎に設定するポイント設定手段（図９のＳ６５、Ｓ６７）とを含み、
前記滑りコマ数補正手段は、前記最大滑りコマ数の範囲の識別情報の各々に対応して設定されたポイントの中に、前記基準位置に停止する識別情報とすべき同じ大きさのポイントが複数存在するときに、所定の位置検索テーブル（図２１（Ａ）の仮想位置検索データテーブル）に基づいて、前記基準位置に停止させる識別情報を決定する（図１１のＳ９３、Ｓ９７〜Ｓ９９）。
【手続補正１４】
【補正対象書類名】明細書
【補正対象項目名】００２１
【補正方法】変更
【補正の内容】
【００２１】
（７）  前記入賞種別予想手段は、
前記第二停止可変表示部の変動表示が停止したと仮定したときに前記第一停止可変表示部の表示結果との関係において発生し得る入賞種別を前記第二停止可変表示部に配列された識別情報毎に検索する検索手段（図９のＳ５９）と、
入賞種別に応じたポイントを前記検索手段により検索された前記第二停止可変表示部の識別情報毎に設定するポイント設定手段（図９のＳ６５、Ｓ６７）とを含み、
入賞の発生により遊技者に遊技価値が払出される入賞種別については、払出される遊技価値の大小に応じた大きさのポイントが設定される（図２０）。
【手続補正１５】
【補正対象書類名】明細書
【補正対象項目名】００２３
【補正方法】変更
【補正の内容】
【００２３】
（８）  前記滑りコマ数データ補正手段は、前記事前決定手段により複数の入賞種別について入賞の発生が許容されているゲームにおいて、前記第二停止操作の検出に基づいて前記第二停止可変表示部の変動表示を停止させるときに、前記複数の入賞種別のうちでより多くの入賞の可能性が残るように、前記停止可変表示部用特定テーブル選択手段が選択した第二停止可変表示部の識別情報の滑りコマ数のデータを補正する（図２８の（１）（３）を（２）（４）とする）。